【手続補正書】
【提出日】平成17年8月19日(2005.8.19)
【手続補正１】
【補正対象書類名】明細書
【補正対象項目名】発明の名称
【補正方法】変更
【補正の内容】
【発明の名称】砂鋳型の造型装置、パタ−ンキャリア、パタ−ン交換装置、パタ−ンキャリアセット装置並びに砂鋳型の造型方法
【手続補正２】
【補正対象書類名】明細書
【補正対象項目名】特許請求の範囲
【補正方法】変更
【補正の内容】
【特許請求の範囲】
【請求項１】
造型基盤３上の左右両側に立設された枠セットシリンダ４、４の上端間に架設された昇降支持フレ−ム３０と、
パタ−ンプレ−ト１５、１５Ａを載置すると共に該パタ−ンプレ−ト１５、１５Ａの外周を包囲して上下摺動する枠状の抜型フレ−ム１６を設けたパタ−ンキャリア６、６Ａと、
前記枠セットシリンダ４、４のうちの一方に回転可能に支持されて、前記パタ−ンキャリア６、６Ａが弾性部材１３、１３により造型基盤３から若干持ち上げられた状態でセットされると共に該パタ−ンキャリア６、６Ａを交互に前記造型基盤３中央上方に搬入出可能にしたパタ−ン交換装置５と、
前記造型基盤３上に配設されて、前記パタ−ンキャリア６、６Ａを前記弾性部材１３、１３に抗して引き下げ、造型基盤３に圧着する圧着シリンダ２７と、
前記造型基盤３上に配設されて、前記抜型フレ−ム１６を昇降させる昇降シリンダ２８、２８と、
前記昇降支持フレ−ム３０に吊設支持されて、下位周側又は／及び下位内部にエヤ−を噴出させて鋳物砂Ｓを浮遊流動化させるエヤレ−ションを成すエヤ−噴出チャンバ−３４、３４を備えた砂ホッパ３５と、
該砂ホッパ３５の下端に配設されたスクイズ手段３６と、
該スクイズ手段３６の周囲に配置される砂充填用ノズル３７、３７と、
前記スクイズ手段３６及び砂充填用ノズル３７、３７の群の外周を上下動可能にして包囲すると共に上位にベントホ−ル３８、３８を備え、かつ盛枠シリンダ４０、４０に連結された盛枠３９と、
を具備することを特徴とする砂鋳型の造型装置。
【請求項２】
前記スクイズ手段３６が、昇降停止制御可能にされたセグメント方式のスクイズフットであることを特徴とする請求項１記載の砂鋳型の造型装置。
【請求項３】
前記スクイズ手段３６が、平板状のスクイズ板であることを特徴とする請求項１記載の砂鋳型の造型装置。
【請求項４】
造型装置に用いるパタ−ン交換装置にセットされるパタ−ンキャリアであって、
パタ−ンプレ−ト１５、１５Ａの外周を包囲して上下摺動する枠状の抜型フレ−ム１６と、
前記パタ−ンプレ−ト１５、１５Ａを載置した本体フレ−ム１８と、
前記抜型フレ−ム１６を下降させる方向に付勢力を作用させる付勢手段２０、２０と、
前記本体フレ−ム１８に装着されて、造型基盤３への圧着に用いられる係合部材２３、２３と、
を具備することを特徴とするパタ−ンキャリア。
【請求項５】
造型装置に用いるパタ−ン交換装置にセットされるパタ−ンキャリアであって、
パタ−ンプレ−ト１５、１５Ａの外周を包囲して上下摺動する枠状の抜型フレ−ム１６と、
前記パタ−ンプレ−ト１５、１５Ａを載置した本体フレ−ム１８と、
両端が前記抜型フレ−ム１６と本体フレ−ム１８に掛着されて、抜型フレ−ム１６を下降させる方向に付勢力を作用させる付勢手段２０、２０と、
前記抜型フレ−ム１６又は本体フレ−ム１８に装着されて、前記抜型フレ−ム１６上に載置される鋳枠２１との位置決めを行う位置決め部材２２、２２と、
前記本体フレ−ム１８に装着されて、造型基盤３への圧着に用いられる係合部材２３、２３と、
前記本体フレ−ム１８に装着されて、パタ−ン交換装置５との位置決めを行う位置決め部材２４、２４と、
を具備することを特徴とするパタ−ンキャリア。
【請求項６】
請求項５記載のパタ−ンキャリアをセットしてパタ−ン交換を行うパタ−ン交換装置であって、
造型基盤３上に立設された主軸と、
該主軸に回転可能に支持されて、パタ−ンキャリア６、６Ａを交互に造型基盤３中央上方に搬入出させるタ−ンテ−ブル７と、
該タ−ンテ−ブル７に装着されて、内部に弾性部材１３、１３を介在させてパタ−ンキャリア６、６Ａとの位置決め部材１１を装着させたパタ−ンキャリア６、６Ａの支持ユニット８、８と、
を具備することを特徴とするパタ−ン交換装置。
【請求項７】
前記主軸が、造型装置の枠セットシリンダ４として兼用された構成にされていることを特徴とする請求項６記載のパタ−ン交換装置。
【請求項８】
請求項６又は７のいずれかに記載のパタ−ン交換装置を有すると共に該パタ−ン交換装置により造型基盤３中央上方に搬入されたパタ−ンキャリア６、６Ａを造型基盤３に圧着してセットするパタ−ンキャリアセット装置であって、
造型基盤３と、
該造型基盤３上に配設されて、パタ−ンキャリア６、６Ａに装着された係合部材２３、２３と係合される係合ヘッド２５をピストンロッドの上端に連結させた圧着シリンダ２７と、
前記造型基盤３上に配設されて、抜型フレ−ム１６を昇降させる昇降シリンダ２８、２８と、
を具備することを特徴とするパタ−ンキャリアセット装置。
【請求項９】
前記圧着シリンダ２７が、ピストンロッドの下端にロ−タリ−アクチュエ−タ２６を連結させたものであることを特徴とする請求項８記載のパタ−ンキャリアセット装置。
【請求項１０】
弾性部材により造型基盤から若干持ち上げられた状態でパタ−ン交換装置にセットされ、パタ−ンプレ−トを載置したパタ−ンキャリアを造型基盤中央上方に搬入する工程と、
前記パタ−ンキャリアを前記弾性部材に抗して引き下げ、造型基盤に圧着する工程と、
前記パタ−ンプレ−トの外周を包囲して上下摺動する枠状の抜型フレ−ムの上面をパタ−ンプレ−トの見切面より突出させた状態にすると共に鋳枠、盛枠及びスクイズ手段を下降させて造型空間を画成する工程と、
鋳物砂が投入された砂ホッパの下位周側又は／及び下位内部からエヤ−を噴出させて鋳物砂を浮遊流動化させるエヤレ−ションを成す工程と、
前記エヤレ−ションされた鋳物砂を前記造型空間に砂充填用ノズルを介してエヤ−によりエヤレ−ション充填する工程と、
前記スクイズ手段により鋳物砂を一次スクイズする工程と、
前記抜型フレ−ムを下降させながら前記スクイズ手段、盛枠及び鋳枠を一体的にパタ−ンプレ−トに向けて下降させて鋳物砂を二次スクイズをする工程と、
前記抜型フレ−ムを上昇させながら前記スクイズ手段、盛枠及び鋳枠を一体的に上昇させて抜型する工程と、
を具備することを特徴とする砂鋳型の造型方法。
【手続補正３】
【補正対象書類名】明細書
【補正対象項目名】０００１
【補正方法】変更
【補正の内容】
【０００１】
【発明の属する技術分野】
本発明は、搬入されてくる空の鋳枠に対し上下砂鋳型を交互に造型して搬出させる砂鋳型の造型装置、パタ−ンキャリア、パタ−ン交換装置、パタ−ンキャリアセット装置並びに砂鋳型の造型方法に関する。
【手続補正４】
【補正対象書類名】明細書
【補正対象項目名】０００４
【補正方法】変更
【補正の内容】
【０００４】
本発明は上記の問題に鑑みて成されたもので、造型装置の背丈を低くして装置をコンパクトに小型化することができると共に優れた抜型精度を維持することができ、かつパタ−ンキャリアの造型基盤への圧着を容易に行うことができる砂鋳型の造型装置、パタ−ンキャリア、パタ−ン交換装置、パタ−ンキャリアセット装置並びに砂鋳型の造型方法を提供することを目的とする。
【手続補正５】
【補正対象書類名】明細書
【補正対象項目名】０００５
【補正方法】変更
【補正の内容】
【０００５】
【課題を解決するための手段】
上記の目的を達成するために本発明における砂鋳型の造型装置は、造型基盤上の左右両側に立設された枠セットシリンダの上端間に架設された昇降支持フレ−ムと、パタ−ンプレ−トを載置すると共に該パタ−ンプレ−トの外周を包囲して上下摺動する枠状の抜型フレ−ムを設けたパタ−ンキャリアと、前記枠セットシリンダのうちの一方に回転可能に支持されて、前記パタ−ンキャリアが弾性部材により造型基盤から若干持ち上げられた状態でセットされると共に該パタ−ンキャリアを交互に前記造型基盤中央上方に搬入出可能にしたパタ−ン交換装置と、前記造型基盤上に配設されて、前記パタ−ンキャリアを前記弾性部材に抗して引き下げ、造型基盤に圧着する圧着シリンダと、前記造型基盤上に配設されて、前記抜型フレ−ムを昇降させる昇降シリンダと、前記昇降支持フレ−ムに吊設支持されて、下位周側又は／及び下位内部にエヤ−を噴出させて鋳物砂を浮遊流動化させるエヤレ−ションを成すエヤ−噴出チャンバ−を備えた砂ホッパと、該砂ホッパの下端に配設されたスクイズ手段と、該スクイズ手段の周囲に配置される砂充填用ノズルと、前記スクイズ手段及び砂充填用ノズルの群の外周を上下動可能にして包囲すると共に上位にベントホ−ルを備え、かつ盛枠シリンダに連結された盛枠と、を具備することを特徴とする。
本発明によれば、造型装置の背丈を低くして装置をコンパクトに小型化することができると共に優れた抜型精度を維持することができ、かつパタ−ンキャリアの造型基盤への圧着を容易に行うことができる。また鋳物砂を造型空間に充填むら無く効率よく充填することができる。
【手続補正６】
【補正対象書類名】明細書
【補正対象項目名】０００６
【補正方法】変更
【補正の内容】
【０００６】
また本発明における砂鋳型の造型装置は、前記スクイズ手段が、昇降停止制御可能にされたセグメント方式のスクイズフットであることを特徴とする。
本発明によれば、スクイズフットをパタ−ンプレ−トの凹凸に相対する凹凸形状に形成した造型空間を画成することができるため、鋳型全体を均一に圧縮することができる。
【手続補正７】
【補正対象書類名】明細書
【補正対象項目名】０００７
【補正方法】変更
【補正の内容】
【０００７】
さらに本発明における砂鋳型の造型装置は、前記スクイズ手段が、平板状のスクイズ板であることを特徴とする。
本発明によれば、装置構成を簡素化することができると共に装置の制御を容易にすることができる。
【手続補正８】
【補正対象書類名】明細書
【補正対象項目名】００１４
【補正方法】変更
【補正の内容】
【００１４】
また上記の目的を達成するために本発明における砂鋳型の造型方法は、弾性部材により造型基盤から若干持ち上げられた状態でパタ−ン交換装置にセットされ、パタ−ンプレ−トを載置したパタ−ンキャリアを造型基盤中央上方に搬入する工程と、前記パタ−ンキャリアを前記弾性部材に抗して引き下げ、造型基盤に圧着する工程と、前記パタ−ンプレ−トの外周を包囲して上下摺動する枠状の抜型フレ−ムの上面をパタ−ンプレ−トの見切面より突出させた状態にすると共に鋳枠、盛枠及びスクイズ手段を下降させて造型空間を画成する工程と、鋳物砂が投入された砂ホッパの下位周側又は／及び下位内部からエヤ−を噴出させて鋳物砂を浮遊流動化させるエヤレ−ションを成す工程と、前記エヤレ−ションされた鋳物砂を前記造型空間に砂充填用ノズルを介してエヤ−によりエヤレ−ション充填する工程と、前記スクイズ手段により鋳物砂を一次スクイズする工程と、前記抜型フレ−ムを下降させながら前記スクイズ手段、盛枠及び鋳枠を一体的にパタ−ンプレ−トに向けて下降させて鋳物砂を二次スクイズをする工程と、前記抜型フレ−ムを上昇させながら前記スクイズ手段、盛枠及び鋳枠を一体的に上昇させて抜型する工程と、を具備することを特徴とする。
本発明によれば、造型装置の背丈を低くして装置をコンパクトに小型化することができると共に優れた抜型精度を維持することができ、かつパタ−ンキャリアの造型基盤への圧着を容易に行うことができる。また鋳物砂を造型空間に充填むら無く効率よく充填することができる。
【手続補正９】
【補正対象書類名】明細書
【補正対象項目名】００３３
【補正方法】変更
【補正の内容】
【００３３】
次に鋳型を造型した鋳枠２１が搬入出コンベヤ４２を介して搬出され、空の鋳枠２１が搬入されると共にパタ−ン交換装置５が図示されないアクチュエ−タにより作動してパタ−ンプレ−ト１５とパタ−ンプレ−ト１５Ａとを入替え、さらにスクイズフット３６が作動されてパタ−ンプレ−ト１５Ａの凹凸に相対した凹凸に形成されて図７の状態とされ上記の作動を繰り返し行う。なお、本実施の形態にかかわる造型装置は、前記鋳型を造型した鋳枠２１を搬出したのち、一般の枠抜きと注湯が行われる造型ラインに設置される造型装置である。